(57)【要約】【課題】容器の表面に生じ、容器の表面から滴下又は流れ落ちる水滴による容器とコースターとの密着作用を防止して、容器の底面にコースターが付着しないようにし、併せて、水滴をコースターの上に溜めないようにする。【解決手段】コースターの上面を構成する上面部材２と下面を構成する下面部材３が分離可能に結合され、上面部材２はメッシュ構造の平面形状を有し、下面部材３は略凹状の器形状に形成されて、当該凹状内に吸水シート４が配置される。【選択図】図１
0003128782.tif 000002
【実用新案登録請求の範囲】
【請求項１】
略平面形状を有し、グラス、コップその他の容器を載せるコースターにおいて、
上面を構成する上面部材と下面を構成する下面部材とを分離可能に結合され、
前記上面部材はメッシュ構造の平面形状を有し、
前記下面部材は略凹状の器形状に形成されて、当該凹状内に吸水体が配置されることを特徴とするコースター。
【請求項２】
上面部材は下面部材上に重ね合わされて、前記上面部材又は前記下面部材のいずれか一方に具備する係止突起又は係止爪と他方に具備する係止凹部若しくは係止溝又は係止穴との係合により、又はねじ締結により固定される請求項１又は２に記載のコースタ。
【請求項３】
上面部材は下面部材にヒンジ部材を介して傾動可能に結合され、少なくともその回動端側が任意の固定手段により固定される請求項１又は２に記載のコースター。
【請求項４】
上面部材の内面に下方に向けて突出する押え部材を有し、前記押え部材で下面部材内の吸水体を定位置に押えるとともに、上面部材と吸水体との間に非接触空間が介在される請求項１乃至３のいずれかに記載のコースター。
【請求項５】
吸水体はスポンジ、高吸水性ポリマ、布材、綿状パルプ、又は紙材が採用される請求項１乃至４のいずれかに記載のコースター。
【考案の詳細な説明】
【技術分野】
【０００１】
本考案は、グラス、コップその他の容器の下に敷いて使用するコースターに関する。
【背景技術】
【０００２】
従来から、コップ敷きとして、コースターがグラスやコップなどの容器の下に敷かれて使用されている。コースターは、一般に、紙や布、また木材やコルク、さらにプラスチックや陶器などの素材からなり、円形の平面形状、四角形その他の多角形の平面形状に形成されている。コースターをグラスやコップなどの下に敷くことにより、グラスやコップに冷たいアルコール飲料や清涼飲料水、あるいは氷入りの茶、水などを入れている場合に、グラスやコップの表面に結露現象により生じる水滴でテーブルを濡らすのを防止することができ、また、コースターの持つ装飾性により、グラスやコップ、あるいはテーブルに美観やおしゃれな雰囲気を添えることができる。
【０００３】
ところで、グラスの表面に水滴が生じると、この水滴はグラスの表面を伝って滴下する。コースターが紙製又は布製の場合、水分の吸収性がよく、グラスから滴下した水滴はコースターに吸収される。コースターの表面がある程度濡れてくると、この水分によりグラスの底とコースターの接触面に密着作用が生じ、グラスを持ち上げると、コースターがグラスの底に張り付いていっしょに持ち上がり、その都度、コースターをグラスから取り外さなければならない。そして、紙製又は布製のコースターはまもなく水滴を吸収しきれなくなり（つまり、びしょびしょになって）、この状態で、グラスを持ち上げると、グラスの底に張り付いたコースターから水滴が垂れ、テーブルやグラスの所持者の衣服を濡らしてしまう。また、コースターが木製、コルク製、プラスチック製、あるいは陶器製の場合、水分の吸収が少ないか又はないため、グラスから滴下した水滴はコースターの上に溜まっていく。コースターの上に水滴が溜まり、この水滴がグラスの周囲に沿って溜まると、グラスの底面とコースターとの間の空隙が密封され、外圧に対して負圧となって、グラスの底にコースターが吸着され、同様にグラスといっしょに持ち上がり、その都度、コースターをグラスから取り外さなければならない。そして、このとき、コースターの上に溜まった水滴が流れ落ち、やはりテーブルやグラスの所持者の衣服を濡らしてしまう。
【０００４】
そこで、このような不都合を解消するために、グラスの底に付着しないコースターが提案され、この種のコースターが特許文献１、２に記載されている。文献１のコースターは、合成樹脂又はゴムあるいはエラストマからなり、板状に形成された本体（コースター本体）の上面の外周側に他の表面よりも上方に突出するせき止め部を備え、かつ、このせき止め部よりも内側の特定箇所にグラス、コップなどを受ける複数の突起部を備え、本体の底面の吸着力により載置面（例えば、テーブル）上に固定及び固定解除自在に構成される。文献２のコースターは、台板の下面に、外周に立壁が設けられて扁平空間が形成され、この扁平空間内の台板下面に吸着縁を下向きにした吸盤が設けられる。いずれも本体底面の吸着力をテーブルなどの載置面に作用させて、コースターを載置面に固定する。
【特許文献１】特開２０００−３４２４２４公報
【特許文献２】特開２００３−２０４８５７公報
【考案の開示】
【考案が解決しようとする課題】
【０００５】
しかしながら、上記従来のコースターでは、コースター本体底面のテーブル面に対する吸着力を高めて、グラスやコップその他の容器とコースターが密着しないようにしているものの、容器の表面に生じる水滴は容器の表面を伝って滴下し、本体の上に溜まるので、コースター上の水分をこまめに払拭しない限り、このコースターの上に載せられた容器の底は絶えず濡れた状態で、このコースターから容器を取り上げると、容器の底から水滴が落ち、やはりテーブルや容器の所持者の衣服を濡らすという問題がある。また、このようなコースターでは、コースター底面の吸着力が何らかの原因で弱まり、又は解除されると、コースター上に溜まる水滴により、容器の底にコースターが吸着され、容器といっしょに持ち上がる可能性は依然残り、コースターの付着を確実に防止できるまでに至っていないという問題もある。
【０００６】
本考案は、このような従来の問題を解決するコースターを提供するものであり、その主な具体的な目的は、容器の表面に生じ、容器の表面から滴下又は流れ落ちる水滴による容器とコースターとの密着作用を防止して、容器の底面にコースターが付着しないようにすること、容器の表面から滴下又は流れ落ちた水滴をコースターの上に溜めることなしに、吸収処理して、容器の底から水分を除去し、テーブルその他の容器の載置面や容器の所持者の衣服を濡らさないようにすること、コースターを衛生的に、繰り返し使えること、コースターを簡易な構造で低廉な価格で提供すること、を目的とする。
【課題を解決するための手段】
【０００７】
上記課題を解決するために、本考案のコースターは、略平面形状を有し、グラス、コップその他の容器を載せるコースターにおいて、上面を構成する上面部材と下面を構成する下面部材とを分離可能に結合され、前記上面部材はメッシュ構造の平面形状を有し、前記下面部材は略凹状の器形状に形成されて、当該凹状内に吸水体が配置されることを要旨とする。この場合、上面部材は下面部材上に重ね合わされて、前記上面部材又は前記下面部材のいずれか一方に具備する係止突起又は係止爪と他方に具備する係止凹部若しくは係止溝又は係止穴との係合により、又はねじ締結により固定されることが好ましい。また、この結合形式に代えて、上面部材は下面部材にヒンジ部材を介して傾動可能に結合され、少なくともその回動端側が任意の固定手段により固定されてもよい。また、上面部材の内面に下方に向けて突出する押え部材を有し、前記押え部材で下面部材内の吸水体を定位置に押えるとともに、上面部材と吸水体との間に非接触空間が介在されることが好ましい。さらに、吸水体はスポンジ、高吸水性ポリマ、布材、綿状パルプ、又は紙材が採用されることが好ましい。
【考案の効果】
【０００８】
本考案のコースターは、上記構成を有し、次のような作用効果を奏する。
（１）上面部材をメッシュ（網の目）構造の平面形状にしたので、容器の表面に生じ、容器の表面から滴下又は流れ落ちる水滴による容器とコースター上面との密着作用を防止して、容器の底面にコースターが付着することがない。
（２）上面部材をメッシュ構造の平面形状にし、下面部材内に吸水体を入れたので、容器の表面から滴下又は流れ落ちた水滴を上面部材の網の目から通し、下面部材内の吸水体で吸収処理することができ、容器の底から水分を除去して、水分をコースターの上に溜めることがなく、コースターの上を水分でべたつかせることがない。したがって、容器をコースターから取り上げたときに、テーブルその他の容器の載置面や容器の所持者の衣服を濡らすことがない。なお、吸水体に多量の水分が吸収されて、水分の吸収が悪くなっても、また水分をまったく吸収できなくなっても、下面部材が略凹状の器形状、すなわち受け皿状になっているので、過剰な水分を下面部材で受けることができる。
（３）上面部材と下面部材とを分離できるので、下面部材内から吸水体を取り出すことができ、コースターの使用中に、吸水体に多くの水分を含んだら、吸水体がスポンジの場合、スポンジを絞ることで、同一の吸水体を長く使用することができる。またこの場合、吸水体を上面部材の上から押すことで、水気を簡易に切ることができる。また、吸水体が布材又は紙材の場合、多くの水分を含んだときは、新たなものと交換すればよく、この場合、布材の吸水体は洗浄し、乾燥させて再使用することができ、紙材の吸水体は使い捨てにすればよい。また、コースターの使用後は、上面及び下面の各部材と吸水体とを分離して、上面及び下面の各部材を洗浄することができ、吸水体がスポンジ又は布材ならば、これらも併せて洗浄することができ、コースターを衛生的（清潔）に、繰り返し使用することができる。
（４）コースターは上面部材、下面部材、そして吸水体により組み立てられるので、コースターを簡易な構造で製作することができ、低廉な価格で提供することができる。
【考案を実施するための最良の形態】
【０００９】
以下、本考案の一実施の形態について、図１乃至図５を用いて説明する。図１において、コースター１は上面１Ｕ及び下面１Ｄを有する略平面形状に形成される。この場合、上面１Ｕは上面部材２により、下面１Ｄは下面部材３によりそれぞれ構成され、上面部材２が下面部材３上に分離可能に結合される。
【００１０】
上面部材２は、プラスチック材、ゴム材、金属材、木材など比較的硬い素材により形成され、図２及び図３に示すように、円形のフレーム２０と、このフレーム２０の内側に一体的に形成された網目状のプレート２３とを有する、メッシュ構造の平面形状に構成され、フレーム２０の下面側でその内周に沿って、複数の係止ピン（係止突起）２１が等間隔に下方に向けて突出され、併せてプレート２３の下面側に、後述する吸水体４を押え可能な複数の押えピン２２が下方に向けて突出される。なお、この上面部材２は弾性変形可能な素材により形成されることが好ましく、フレーム２０の幅は可及的に小さく、プレート２３の上面は若干凹凸状に形成されることが好ましい。また、全体の形状は円形に限定されることなく、三角形、四角形その他の多角形状であってもよく、さらにハート形やダイヤ形などのデザインであってもよい。また色彩は任意であり、模様が付けられてもよい。図４は、上面部材２のデザインの一例である。さらに、プレート２３の網目の形状も円形、又は三角形、四角形その他の多角形状でもよく、その形状は任意である。また、フレーム２０の各係止ピン２１はボス（係止凹部若しくは係止溝）に変えてもよい。さらに、各押えピン２２は（円）筒状に形成されて、網目に連通されることが望ましい。
【００１１】
下面部材３は、プラスチック材、ゴム材、金属材、木材など比較的硬い素材により形成され、図３に示すように、上面部材２の外径よりも少し小さい内径の円形の開口３０を有する平坦な円形枠状の天面３１と、上面部材２の外径よりも少し大きい内径を有する円形の底面３２と、これら上面３１と底面３２との間に斜めに立ち上げられた円形の外周面３３とを有し、上面部材２を支持可能な円形の浅い深さの略凹状の器形状に構成され、（内側）底面３２上には、上面部材２の各係止ピン２１に対応して内周に沿って各係止ピン２１が軽く圧入可能な溝を有する複数のボス（係止凹部若しくは係止溝）３４が等間隔に突出される。なお、この下面部材３はテーブルの天板などの平滑な載置面に対して滑りにくい素材で形成されることが好ましく、滑りやすい素材で形成される場合には、外側底面３２に滑り止め材が併せて設けられることが好ましい。また、全体の形状は円形に限定されることなく、三角形、四角形その他の多角形状であってもよく、さらにハート形やダイヤ形などのデザインであってもよい。また色彩は任意であり、模様が付けられてもよい。また、これらの形状、色彩、模様などは上面部材２と同一でもよく、同一でなくてもよい。上面部材２に係止ピンに代えてボスが設けられた場合は、下面部材３のボスは係止ピンに代えられる。
【００１２】
この下面部材３の凹形状内には、吸水シート（吸水体）４が配置される。この吸水シート４は、スポンジ、布材、又は紙材などからなり、下面部材３の天面開口３０と略同径の円形に、その厚みは下面部材３の深さよりも小さい薄い形状に形成され、図５に示すように、その外周には上面部材２と下面部材２との結合部となる各ボス３４に対応する位置に各ボス３４の外周に沿う円弧状の切り欠き４１が形成される。なお、この吸水シート４は水分を吸収する性質を有するものであれば、その素材は任意であり、綿状パルプや高吸水性ポリマなどの水分高吸収材が採用されても勿論かまわない。また、全体の形状は円形に限定されることなく、三角形、四角形その他の多角形状であってもよく、さらにハート形やダイヤ形などのデザインであってもよい。また色彩は任意であり、模様が付けられてもよい。
【００１３】
このようにしてコースター１の各部が形成され、下面部材３内の底面３２上に吸水シート４が外周の切り欠き４１をボス３４に合わせられ、開口３０に対向して配置され、上面部材２が下面部材３の天面３１上に重ね合わせられるとともに、上面部材２の各係止ピン２１が下面部材３の開口３０を通して底面３２上の各ボス３４に圧入係合されて固定される。この上面部材２と下面部材２との結合により、全体が円形の略平面形状に構成され、上面部材２の内面に下方に向けて突出する押えピン２２により、下面部材３内の吸水シート４が定位置に押えられるとともに、上面部材２と吸水シート４との間に適宜間隔の非接触空間が介在される。また、下面部材３の底面３２上の、吸水シート４と下面部材３の外周面３３との間に隙間ができ、これが水を逃がすための水路３５となる。
【００１４】
このコースター１は一般のコースターと同様に使用され、テーブルその他の載置面上に下面部材３を着接して設置され、このコースター１の上に、冷たいアルコール飲料や清涼飲料水、あるいは氷入りの水や茶などを入れたグラス、コップ、あるいはアルミ缶やスチール缶などの容器が載せられる。そして、容器の表面に結露現象により水滴が生じると、この水滴は容器の表面を伝って滴下する。このコースター１の場合、上面１Ｕ（上面部材２）がメッシュ（網の目）構造の平面形状になっているので、容器の表面から水滴がコースター１の上に滴下したり流れ落ちたりしても、容器はコースター１の上面に密着せず、容器をコースター１から取り上げたときに、容器の底面にコースター１が付着することがない。この効果は、上面部材２の上面を若干凹凸状に形成することでさらに増大する。また、上面１Ｕ（上面部材２）がメッシュ構造の平面形状で、下面部材３内に吸水シート３が入っているので、容器の表面から滴下又は流れ落ちた水滴は上面１Ｕの網目を通じて、下面部材３内の吸水シート４に吸収処理される。これにより、容器の底から水分が除去され、水分がコースター１の上に溜まることがなく、コースター１の上を水分でべたつかせることがない。この場合、上面部材２の内面に下方に向けて突出する押えピン２２により、下面部材３内の吸水シート４は定位置に押えられるとともに、上面部材２と吸水シート４との間に適宜の間隔の非接触空間が介在されるので、吸水シート４に吸収された水分は上面１Ｕから逆流することがない。したがって、容器をコースター１から取り上げたときに、容器から水滴が垂れることがなく、テーブルその他の容器の載置面や容器の所持者の衣服を濡らすことがない。また、この場合、容器の表面から流れ落ちる水分が吸水シート４に多量に吸収されて、水分の吸収が悪くなっても、また水分をまったく吸収できなくなっても、下面部材３が略凹状の器形状、すなわち受け皿状になっているので、過剰な水分をこの受け皿で受けることができ、過剰な水分は下面部材３の底面３２内周に設けられた水路３５に逃がされる。さらに、上面部材２と下面部材３は分離でき、下面部材３内から吸水シート４を取り出すことができ、コースター１の使用中に、吸水シート４に多くの水分を含んだら、吸水シート４を取り出し、上面部材２及び下面部材３から水を切り、吸水シート４がスポンジの場合は、スポンジを絞ればよい。この場合、上面部材２を弾性変形可能に形成されていれば、このコースター１を逆さにし、吸水シート４を上面部材２の上から押すことで、水分を簡易に取り除くことができる。また、吸水シート４が布材又は紙材の場合は、新たなものと交換すればよく、この場合、布材の吸水シート４は洗浄し、乾燥させて再使用し、紙材の吸水シート４は使い捨てにする。また、コースター１の使用後は、上面及び下面の各部材２、３と吸水シート４とを分離して、上面及び下面の各部材２、３を洗浄することができ、吸水シート４がスポンジ又は布材ならば、これらも併せて洗浄することで、コースター１全体を衛生的（清潔）に保ち、繰り返し使用することができる。
【００１５】
以上説明したように、このコースター１によれば、上面部材２をメッシュ（網の目）構造の平面形状にしたので、容器の表面に生じ、容器の表面から滴下又は流れ落ちる水滴による容器とコースター１上面との密着作用を防止して、容器の底面にコースター１が付着することがない。また、上面部材２をメッシュ構造の平面形状にし、下面部材３内に吸水シート４を入れたので、容器の表面から滴下又は流れ落ちた水滴を上面部材２の網目から通し、下面部材３内の吸水シート４で吸収処理することができ、容器の底から水分を除去して、水分をコースター１の上に溜めることがなく、コースター１の上を水分でべたつかせることがない。したがって、容器をコースター１から取り上げたときに、テーブルその他の容器の載置面や容器の所持者の衣服を濡らすことがない。また、この場合、吸水シート４に多量の水分が吸収されて、水分の吸収が悪くなっても、また水分をまったく吸収できなくなっても、下面部材３が略凹状の器形状になっているので、過剰な水分を下面部材３で受けることができる。さらに、上面部材２と下面部材３とを分離できるので、下面部材３内から吸水シート４を取り出すことができ、コースター１の使用中に、吸水シート４に多くの水分を含んだら、吸水シート４がスポンジの場合、スポンジを絞ることで、同一の吸水シート４を長く使用することができる。また、吸水シート４が布材又は紙材の場合、多くの水分を含んだときは、新たなものと交換すればよく、この場合、布材の吸水シート４は洗浄し、乾燥させて再使用することができ、紙材の吸水シート４は使い捨てにすればよい。コースター１の使用後は、上面部材２と下面部材３、さらに吸水シート４とを分離して、上面部材２、下面部材３を洗浄することができ、吸水シート４がスポンジ又は布材ならば、これも併せて洗浄することができ、コースター１を衛生的（清潔）に、繰り返し使用することができる。また、このコースター１は、上面部材２、下面部材３、及び吸水シート４の３つの部品により組み立られるので、簡易な構造で製作することができ、低廉な価格で提供することができる。しかも、上面部材２と下面部材３の重合構造になっているので、適度の厚みにより、剛性を高めて、その初期形状を長く維持することができ、布製や紙製のコースターのように反り返ることがなく、テーブルなどの載置面に安定して敷くことができる。
【００１６】
なお、上記実施の形態では、上面部材２を下面部材３上に重ね合わせて、上面部材２又は下面部材３のいずれか一方に具備する係止ピン（係止突起）２１と他方に具備するボス（係止凹部又は係止溝）３４との係合により固定しているが、これら係合部材２１、３４の形状を変更して、一方に係止爪を設け、他方に係止凹部若しくは係止溝又は係止穴を設けて、これらの係合により固定してもよい。また、下面部材３の内周縁に内方に向けて突出する係止部を設け、この係止部で下面部材３上に重ねた上面部材２を押えるようにしたり、上面部材２の外周に下面部材３の外周上に嵌着可能な構造を設け、上面部材２を下面部材３の上から被せ付けるようにしたりしてもよい。さらに、図６及び図７に示すように、上面部材２を下面部材３にヒンジ部材５を介して傾動可能に結合し、上面部材２又は下面部材３のいずれか一方に係止突起（又は係止爪）６１、他方に係止凹部（若しくは係止溝又は係止穴）６２を設けて、これらの係合により固定してもよい。この場合、これら係合手段６１、６２を上面部材２及び下面部材３の回動端側にのみ設けてもよい。また、これら係合手段６１、６２を上面部材２及び下面部材３の外周に沿って設ける場合は、係止突起（又は係止爪）６１を吸水シート４の押え部材として兼用し、これら係止突起（又は係止爪）６１と係止凹部（若しくは係止溝又は係止穴）６２との間に吸水シート４を挟持するように構成してもよい。またさらに、上面部材２と下面部材３とを、ねじ締結その他の既存の各種固定形式を用いて固定しても勿論かまわない。
【００１７】
また、上記実施の形態では、上面部材を一体の部品として形成しているが、フレームと網目状のプレートとを分割して、プレートを下面部材上に載せてこのプレートをフレームで押える構造にしてもよい。この場合、フレームと下面部材との間に既述のような係合手段を設けて固定してもよく、フレームを下面部材の外周に嵌着可能な形状に形成して固定してもよく、その固定形式は任意である。
【図面の簡単な説明】
【００１８】
【図１】本考案の一実施の形態におけるコースターの斜視図
【図２】同コースターの上面部材を示す平面図
【図３】同コースターの上面部材、下面部材、及び吸水体を示す分解側面断面図
【図４】同コースターの上面部材のデザインの一例を示す平面図
【図５】同コースターの吸水体を示す平面図
【図６】本考案の他の実施の形態におけるコースターを示す平面図
【図７】同コースターの上面部材、下面部材、及び吸水体を示す一部省略側面断面図
【符号の説明】
【００１９】
１  コースター
１Ｕ  上面
１Ｄ  下面
２  上面部材
２０  フレーム
２１  係止ピン（係止突起）
２２  押えピン（押え部材）
２３  網目状のプレート
３  下面部材
３０  開口
３１  天面
３２  底面
３３  外周面
３４  ボス（係止凹部若しくは係止溝）
３５  水路
４  吸水シート（吸水体）
４１  切り欠き
５  ヒンジ部材
６１  係止突起
６２  係止凹部
【図１】
0003128782.tif 000003
【図２】
0003128782.tif 000004
【図３】
0003128782.tif 000005
【図４】
0003128782.tif 000006
【図５】
0003128782.tif 000007
【図６】
0003128782.tif 000008
【図７】
0003128782.tif 000009